(57)【要約】【課題】複数の機能を連携したサービスが可能なプログラム、携帯端末及び決済システムを提供する。【解決手段】ＮＦＣ用アンテナ２６ａを備えた携帯端末１は、サービス連携アプリ２２ｂと、サービス連携アプリ２２ｂが制御し管理下で実行する複数のｗｇｔ２３とを記憶する記憶部２０を備え、商品タグ３に記憶された商品コードを含む商品情報を取得して記憶部２０に記憶させるクリッピングｗｇｔ２３ｂと、決済に関するクーポンを付与して記憶部２０に記憶させるクーポンｗｇｔ２３ｃとを有し、サービス連携アプリ２２ｂは、携帯端末１を、ＮＦＣ用アンテナ２６ａと商品タグ３とが近づくことで、クリッピングｗｇｔ２３ｂを実行させるクリッピングアプリ実行手段として機能させ、記憶部２０に記憶された商品情報が所定の条件を満たした場合に、クーポンｗｇｔ２３ｃを実行させる特典付与アプリ実行手段として機能させる。【選択図】図３
2015184872.tif 000002
【特許請求の範囲】
【請求項１】
近距離通信をするためのアンテナを備え、コンピュータである携帯端末で実行可能なプログラムであって、
前記コンピュータは、前記プログラムと、このプログラムが制御し、このプログラムの管理下で実行する複数のアプリケーションとを記憶する記憶部を備えており、
前記複数のアプリケーションとして、
商品識別媒体に記憶された商品識別情報を含む商品情報を取得して前記記憶部に記憶させる商品情報収集アプリケーションと、
決済に関する特典情報を付与して前記記憶部に記憶させる特典付与アプリケーションと、
を有し、
前記コンピュータを、
前記コンピュータの前記アンテナと、前記商品情報を記憶した商品識別媒体とが近づくことで、前記商品情報収集アプリケーションを実行させる情報収集アプリ実行手段として機能させ、
前記情報収集アプリ実行手段により前記記憶部に記憶された前記商品情報が所定の条件を満たした場合に、前記特典付与アプリケーションを実行させる特典付与アプリ実行手段として機能させること、
を特徴とするプログラム。
【請求項２】
請求項１に記載のプログラムにおいて、
前記複数のアプリケーションとして、決済処理を行うための決済アプリケーションを有し、
前記特典付与アプリケーションは、前記記憶部に記憶された前記特典情報の使用可否を受け付け、決済端末に対して使用可として受け付けた特典情報を送出するものであり、
前記コンピュータを、
前記コンピュータの前記アンテナと、前記決済端末が有するアンテナとが近づくことで、前記決済端末からの命令を受信して、前記決済アプリケーションを実行させる決済アプリ実行手段として機能させ、
前記決済アプリ実行手段により前記決済アプリケーションが実行されたことに応じて、前記特典付与アプリ実行手段として機能させ、
前記決済アプリ実行手段を、前記特典付与アプリ実行手段により特典情報が使用される場合には、前記特典情報を反映した決済金額に対して決済処理を行うように機能させること、
を特徴とするプログラム。
【請求項３】
請求項２に記載のプログラムにおいて、
前記複数のアプリケーションとして、ポイント情報を付与して前記記憶部に記憶させ、前記記憶部に記憶された前記ポイント情報の使用可否を受け付け、前記決済端末に対して使用可として受け付けたポイント情報を送出するポイント付与アプリケーションを有し、
前記コンピュータを、
前記コンピュータの前記アンテナと、決済で使用可能なポイント情報を付与するポイント付与端末のアンテナとが近づくことで、前記ポイント付与端末からの命令を受信して、前記ポイント付与アプリケーションを実行させるポイント付与アプリ実行手段として機能させ、
前記決済アプリ実行手段により前記決済アプリケーションが実行されたことに応じて、前記ポイント付与アプリ実行手段として機能させ、
前記決済アプリ実行手段を、前記ポイント付与アプリ実行手段によりポイント情報が使用される場合には、ポイント情報を反映した決済金額に対して決済処理を行うように機能させること、
を特徴とするプログラム。
【請求項４】
請求項１から請求項３までのいずれかに記載のプログラムにおいて、
前記情報収集アプリ実行手段を、
前記商品情報を取得する商品情報取得手段と、
取得した前記商品情報に関する評価を入力可能な評価入力画面を出力させる評価画面出力手段と、
前記評価画面出力手段が出力した評価入力画面にしたがった評価情報を受け付けたことに応じて、前記評価情報を、前記商品情報の一部として記憶させる記憶制御手段と、
して機能させるためのプログラム。
【請求項５】
請求項１から請求項４までのいずれかに記載のプログラムにおいて、
前記複数のアプリケーションとして、各々のアプリケーションを統括管理するための管理アプリケーションを含み、
前記コンピュータを、前記プログラムを起動したことに応じて、前記管理アプリケーションを実行させる管理アプリ実行手段として機能させ、
前記管理アプリ実行手段を除く各アプリ実行手段を、実行中の前記管理アプリケーションからの命令にしたがって実行されるように機能させること、
を特徴とするプログラム。
【請求項６】
請求項１から請求項４までのいずれかに記載のプログラムにおいて、
前記特典付与アプリ実行手段を、前記情報収集アプリ実行手段が前記プログラムにしたがって処理を行う制御部に対して命令を送出することでその命令を受け付けて、前記特典付与アプリケーションを実行させるように機能させること、
を特徴とするプログラム。
【請求項７】
近距離通信をするためのアンテナを備え、コンピュータである携帯端末で実行可能なプログラムであって、
前記コンピュータは、前記プログラムと、このプログラムが制御し、このプログラムの管理下で実行する複数のアプリケーションとを記憶する記憶部を備えており、
前記複数のアプリケーションとして、
決済で使用可能なポイント情報を付与して前記記憶部に記憶させ、前記記憶部に記憶された前記ポイント情報の使用可否を受け付け、決済端末に対して使用可として受け付けたポイント情報を送出するポイント付与アプリケーションと、
決済処理を行うための決済アプリケーションと、
を有し、
前記コンピュータを、
前記コンピュータの前記アンテナと、前記ポイント情報を付与するポイント付与端末のアンテナとが近づくことで、前記ポイント付与端末からの命令を受信して、前記ポイント付与アプリケーションを実行させるポイント付与アプリ実行手段として機能させ、
前記コンピュータの前記アンテナと、前記決済端末が有するアンテナとが近づくことで、前記決済端末からの命令を受信して、前記決済アプリケーションを実行する決済アプリ実行手段として機能させ、
前記決済アプリ実行手段を、前記ポイント付与アプリ実行手段によりポイント情報が使用される場合には、ポイント情報を反映した決済金額に対して決済処理を行うように機能させること、
を特徴とするプログラム。
【請求項８】
請求項１から請求項７までのいずれかに記載のプログラムにおいて、
前記コンピュータを、このプログラムの起動要求を送出する外部装置のアンテナと、前記コンピュータの前記アンテナとが近づくことで、前記プログラムを実行させるプログラム起動手段として機能させること、
を特徴とするプログラム。
【請求項９】
請求項１から請求項８までのいずれかに記載のプログラムを記憶する記憶部と、
前記記憶部に記憶された前記プログラムにしたがって処理を行う制御部と、
近距離通信のためのアンテナと、
を備えた携帯端末。
【請求項１０】
プログラムと、このプログラムが制御し、このプログラムの管理下で実行可能な複数のアプリケーションとを記憶する記憶部と、
前記記憶部に記憶された前記プログラムにしたがって処理を行う制御部と、
近距離通信のためのアンテナと、
を備えた携帯端末と、
アンテナを有する決済端末と、
を備えた決済システムであって、
前記複数のアプリケーションとして、
商品識別媒体に記憶された商品識別情報を含む商品情報を取得して前記記憶部に記憶させる商品情報収集アプリケーションと、
決済処理を行うための決済アプリケーションと、
を有し、
前記携帯端末の前記記憶部には、前記商品情報を記憶しており、
前記携帯端末の前記アンテナと、前記決済端末の前記アンテナとが近づくことで、前記携帯端末と、前記決済端末とが通信して、前記携帯端末は、前記決済アプリケーションが実行され、
前記携帯端末は、
前記決済端末から商品情報に関する問合せを受信したことに応じて、前記商品情報収集アプリケーションにしたがって前記携帯端末の記憶部に記憶された前記商品情報を、前記決済端末に送信し、
前記決済端末から決済に関する情報を受け付けて、前記決済アプリケーションにしたがって決済処理を行い、
前記決済端末は、
前記携帯端末から受信した前記商品情報を記憶し、
前記携帯端末から決済に関する情報を受信して決済処理を行うこと、
を特徴とする決済システム。
【請求項１１】
請求項１０に記載の決済システムにおいて、
前記複数のアプリケーションとして、決済に関する特典情報を付与して前記記憶部に記憶させる特典付与アプリケーションを有し、
前記携帯端末は、前記決済端末から決済に関する情報を受け付けて、前記記憶部に決済に関する特典情報を使用する場合には、前記特典付与アプリケーションにしたがって前記特典情報を反映した決済金額に対して決済処理を行うこと、
を特徴とする決済システム。
【請求項１２】
請求項１０又は請求項１１に記載の決済システムにおいて、
前記携帯端末は、予め前記プログラムを起動して、前記アンテナと、前記商品識別媒体とが近づくことで、前記商品情報収集アプリケーションが実行され、前記商品識別媒体から取得した前記商品情報を、前記記憶部に記憶すること、
を特徴とする決済システム。
【発明の詳細な説明】
【技術分野】
【０００１】
本発明は、携帯端末での決済等で使用可能なプログラム、携帯端末及び決済システムに関する。
【背景技術】
【０００２】
従来、店頭ＰＯＰ等の情報掲載媒体に情報記録手段を設け、情報掲載媒体から掲載情報を読み取って、情報配信サーバに保存させる情報要求端末を有する情報クリッピングシステムが開示されている（例えば、特許文献１）。
【先行技術文献】
【特許文献】
【０００３】
【特許文献１】特開２００５−０３１７８０号公報
【発明の概要】
【発明が解決しようとする課題】
【０００４】
上述の特許文献の発明は、情報要求端末が、情報掲載媒体から掲載情報を読み取って情報配信サーバに保存させる、という１つの機能を行うものにすぎなかった。
近年、携帯端末の処理能力が向上しており、様々な機能を行うことができるようになっている。
【０００５】
そこで、本発明は、複数の機能を連携させたサービスが可能なプログラム、携帯端末及び決済システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、近距離通信をするためのアンテナ（２６ａ）を備え、コンピュータである携帯端末（１）で実行可能なプログラム（２２ｂ）であって、前記コンピュータは、前記プログラムと、このプログラムが制御し、このプログラムの管理下で実行する複数のアプリケーション（２３）とを記憶する記憶部（２０）を備えており、前記複数のアプリケーションとして、商品識別媒体に記憶された商品識別情報を含む商品情報を取得して前記記憶部に記憶させる商品情報収集アプリケーション（２３ｂ）と、決済に関する特典情報を付与して前記記憶部に記憶させる特典付与アプリケーション（２３ｃ）と、を有し、前記コンピュータを、前記コンピュータの前記アンテナと、前記商品情報を記憶した商品識別媒体（３）とが近づくことで、前記商品情報収集アプリケーションを実行させる情報収集アプリ実行手段として機能させ、前記情報収集アプリ実行手段により前記記憶部に記憶された前記商品情報が所定の条件を満たした場合に、前記特典付与アプリケーションを実行させる特典付与アプリ実行手段として機能させること、を特徴とするプログラムである。
第２の発明は、第１の発明のプログラム（２２ｂ）において、前記複数のアプリケーションとして、決済処理を行うための決済アプリケーション（２３ｄ）を有し、前記特典付与アプリケーションは、前記記憶部に記憶された前記特典情報の使用可否を受け付け、決済端末（５）に対して使用可として受け付けた特典情報を送出するものであり、前記コンピュータ（１）を、前記コンピュータの前記アンテナ（２６ｂ）と、前記決済端末が有するアンテナ（５５）とが近づくことで、前記決済端末からの命令を受信して、前記決済アプリケーションを実行させる決済アプリ実行手段として機能させ、前記決済アプリ実行手段により前記決済アプリケーションが実行されたことに応じて、前記特典付与アプリ実行手段として機能させ、前記決済アプリ実行手段を、前記特典付与アプリ実行手段により特典情報が使用される場合には、前記特典情報を反映した決済金額に対して決済処理を行うように機能させること、を特徴とするプログラムである。
第３の発明は、第２の発明のプログラム（２２ｂ）において、前記複数のアプリケーションとして、ポイント情報を付与して前記記憶部（２０）に記憶させ、前記記憶部に記憶された前記ポイント情報の使用可否を受け付け、前記決済端末（５）に対して使用可として受け付けたポイント情報を送出するポイント付与アプリケーション（２３ａ）を有し、前記コンピュータ（１）を、前記コンピュータの前記アンテナ（２６ａ）と、決済で使用可能なポイント情報を付与するポイント付与端末のアンテナ（４５）とが近づくことで、前記ポイント付与端末からの命令を受信して、前記ポイント付与アプリケーションを実行させるポイント付与アプリ実行手段として機能させ、前記決済アプリ実行手段により前記決済アプリケーション（２３ｄ）が実行されたことに応じて、前記ポイント付与アプリ実行手段として機能させ、前記決済アプリ実行手段を、前記ポイント付与アプリ実行手段によりポイント情報が使用される場合には、ポイント情報を反映した決済金額に対して決済処理を行うように機能させること、を特徴とするプログラムである。
第４の発明は、第１の発明から第３の発明までのいずれかのプログラム（２２ｂ）において、前記情報収集アプリ実行手段を、前記商品情報を取得する商品情報取得手段と、取得した前記商品情報に関する評価を入力可能な評価入力画面を出力させる評価画面出力手段と、前記評価画面出力手段が出力した評価入力画面にしたがった評価情報を受け付けたことに応じて、前記評価情報を、前記商品情報の一部として記憶させる記憶制御手段と、して機能させるためのプログラムである。
第５の発明は、第１の発明から第４の発明までのいずれかのプログラムにおいて、前記複数のアプリケーションとして、各々のアプリケーションを統括管理するための管理アプリケーションを含み、前記コンピュータを、前記プログラムを起動したことに応じて、前記管理アプリケーションを実行させる管理アプリ実行手段として機能させ、前記管理アプリ実行手段を除く各アプリ実行手段を、実行中の前記管理アプリケーションからの命令にしたがって実行されるように機能させること、を特徴とするプログラムである。
第６の発明は、第１の発明から第４の発明までのいずれかのプログラム（２２ｂ）において、前記特典付与アプリ実行手段を、前記情報収集アプリ実行手段が前記プログラムにしたがって処理を行う制御部に対して命令を送出することでその命令を受け付けて、前記特典付与アプリケーション（２３ｃ）を実行させるように機能させること、を特徴とするプログラムである。
第７の発明は、近距離通信をするためのアンテナ（２６ａ）を備え、コンピュータである携帯端末（１）で実行可能なプログラム（２２ｂ）であって、前記コンピュータは、前記プログラムと、このプログラムが制御し、このプログラムの管理下で実行する複数のアプリケーション（２３）とを記憶する記憶部（２０）を備えており、前記複数のアプリケーションとして、決済で使用可能なポイント情報を付与して前記記憶部に記憶させ、前記記憶部に記憶された前記ポイント情報の使用可否を受け付け、決済端末（５）に対して使用可として受け付けたポイント情報を送出するポイント付与アプリケーション（２３ａ）と、決済処理を行うための決済アプリケーション（２３ｄ）と、を有し、前記コンピュータを、前記コンピュータの前記アンテナと、前記ポイント情報を付与するポイント付与端末（４）のアンテナ（４５）とが近づくことで、前記ポイント付与端末からの命令を受信して、前記ポイント付与アプリケーションを実行させるポイント付与アプリ実行手段として機能させ、前記コンピュータの前記アンテナと、前記決済端末が有するアンテナ（５５）とが近づくことで、前記決済端末からの命令を受信して、前記決済アプリケーションを実行する決済アプリ実行手段として機能させ、前記決済アプリ実行手段を、前記ポイント付与アプリ実行手段によりポイント情報が使用される場合には、ポイント情報を反映した決済金額に対して決済処理を行うように機能させること、を特徴とするプログラムである。
第８の発明は、第１の発明から第７の発明までのいずれかのプログラム（２２ｂ）において、前記コンピュータ（１）を、このプログラムの起動要求を送出する外部装置（４）のアンテナ（４５）と、前記コンピュータの前記アンテナ（２６ａ）とが近づくことで、前記プログラムを実行させるプログラム起動手段として機能させること、を特徴とするプログラムである。
第９の発明は、第１の発明から第８の発明までのいずれかのプログラム（２２ｂ）を記憶する記憶部（２０）と、前記記憶部に記憶された前記プログラムにしたがって処理を行う制御部（１０）と、近距離通信のためのアンテナ（２６）と、を備えた携帯端末（１）である。
第１０の発明は、プログラム（２２ｂ）と、このプログラムが制御し、このプログラムの管理下で実行可能な複数のアプリケーション（２３）とを記憶する記憶部（２０）と、前記記憶部に記憶された前記プログラムにしたがって処理を行う制御部（１０）と、近距離通信のためのアンテナ（２６ａ）と、を備えた携帯端末（１）と、アンテナ（５５）を有する決済端末（５）と、を備えた決済システムであって、前記複数のアプリケーションとして、商品識別媒体（３）に記憶された商品識別情報を含む商品情報を取得して前記記憶部に記憶させる商品情報収集アプリケーション（２３ｂ）と、決済処理を行うための決済アプリケーション（２３ｄ）と、を有し、前記携帯端末の前記記憶部には、前記商品情報を記憶しており、前記携帯端末の前記アンテナと、前記決済端末の前記アンテナとが近づくことで、前記携帯端末と、前記決済端末とが通信して、前記携帯端末は、前記決済アプリケーションが実行され、前記携帯端末は、前記決済端末から商品情報に関する問合せを受信したことに応じて、前記商品情報収集アプリケーションにしたがって前記携帯端末の記憶部に記憶された前記商品情報を、前記決済端末に送信し、前記決済端末から決済に関する情報を受け付けて、前記決済アプリケーションにしたがって決済処理を行い、前記決済端末は、前記携帯端末から受信した前記商品情報を記憶し、前記携帯端末から決済に関する情報を受信して決済処理を行うこと、を特徴とする決済システムである。
第１１の発明は、第１０の発明の決済システムにおいて、前記複数のアプリケーションとして、決済に関する特典情報を付与して前記記憶部（２０）に記憶させる特典付与アプリケーション（２３ｃ）を有し、前記携帯端末（１）は、前記決済端末（５）から決済に関する情報を受け付けて、前記記憶部に決済に関する特典情報を使用する場合には、前記特典付与アプリケーションにしたがって前記特典情報を反映した決済金額に対して決済処理を行うこと、を特徴とする決済システムである。
第１２の発明は、第１０の発明又は第１１の発明の決済システムにおいて、前記携帯端末（１）は、予め前記プログラム（２２ｂ）を起動して、前記アンテナ（２６ａ）と、前記商品識別媒体（３）とが近づくことで、前記商品情報収集アプリケーション（２３ｂ）が実行され、前記商品識別媒体から取得した前記商品情報を、前記記憶部（２０）に記憶すること、を特徴とする決済システムである。
【発明の効果】
【０００８】
本発明によれば、複数の機能を連携したサービスが可能なプログラム、携帯端末及び決済システムを提供することができる。
【図面の簡単な説明】
【０００９】
【図１】本実施形態に係るサービス提供システムの全体構成を示す図である。
【図２】本実施形態に係るサービス提供システムの機能ブロックを示す図である。
【図３】本実施形態に係る携帯端末の制御部の機能ブロックを示す図及び記憶部のソフトウェア構造を説明するための図である。
【図４】本実施形態に係るサービス提供システムのポイント付与処理のフローチャートである。
【図５】本実施形態に係るサービス提供システムのクリッピング処理のフローチャートである。
【図６】本実施形態に係る携帯端末のタッチパネルディスプレイでの表示例を示す図である。
【図７】本実施形態に係る携帯端末の記憶部に記憶されたクリッピング情報の例を示す図である。
【図８】本実施形態に係るサービス提供システムのクーポン処理のフローチャートである。
【図９】本実施形態に係る決済システムでの商品購買処理のフローチャートである。
【図１０】本実施形態に係る決済システムでのポイント照会処理のフローチャートである。
【図１１】本実施形態に係る決済システムでのクリップ情報保存処理のフローチャートである。
【図１２】本実施形態に係る決済システムでの使用クーポン処理のフローチャートである。
【図１３】本実施形態に係る決済システムでの決済実行処理のフローチャートである。
【発明を実施するための形態】
【００１０】
以下、本発明を実施するための形態について、図を参照しながら説明する。なお、これは、あくまでも一例であって、本発明の技術的範囲はこれに限られるものではない。
（実施形態）
図１は、本実施形態に係るサービス提供システム１００の全体構成を示す図である。
サービス提供システム１００は、ユーザが携帯端末１の近距離通信を使用することにより、現実店舗において商品を購買する際の様々な特典をユーザに付与するシステムである。なお、現実店舗とは、ユーザ自らが足を運んで赴く店舗をいい、インターネット上の店舗（仮想店舗）を除く概念である。
【００１１】
図１に示すように、サービス提供システム１００は、携帯端末１と、商品タグ３（商品識別媒体）と、ポイント付与端末４と、ＰＯＳ（Ｐｏｉｎｔ  Ｏｆ  Ｓａｌｅｓ）端末５（決済端末）と、サーバ６とを備える。
携帯端末１と、ポイント付与端末４と、ＰＯＳ端末５とは、サーバ６に対して、例えば、インターネット等の通信ネットワークＮを介して、各々通信可能になっている。
携帯端末１は、ユーザが携行する携帯情報端末であり、例えば、スマートフォン等の多機能型携帯電話機である。
携帯端末１は、後述するように、複数のｗｇｔ（ウィジェット）２３（アプリケーション）を実行させるサービス連携アプリ２２ｂ（プログラム）により、様々なサービスと連携した処理を行うことができる。
【００１２】
様々なサービスとは、例えば、以下のサービスをいう。
（＃１）現実店舗への来店時に、商品購買で使用可能なポイントを付与するポイント付与サービス。
携帯端末１と、ポイント付与端末４と、サーバ６とによる処理である。
（＃２）ユーザが現実店舗に陳列された商品のうち気になる商品の商品情報をクリッピング（取得及び記憶）し、さらにその商品の評価を入力できるクリッピングサービス。
携帯端末１と、商品タグ３とによる処理である。
（＃３）クリッピングした商品情報の商品数や評価情報量に応じて、商品購買時に使用可能なクーポンを付与するクーポン付与サービス。
携帯端末１と、サーバ６とによる処理である。
（＃４）ポイントやクーポンを商品購買時の決済処理で使用する決済サービス。
携帯端末１と、ＰＯＳ端末５と、サーバ６とによる処理である。
なお、（＃４）のサービスを行うシステムを、決済システムともいう。
これらのサービスの詳細については、後述する。
【００１３】
次に、サービス提供システム１００の各装置の構成について説明する。
図２は、本実施形態に係るサービス提供システム１００の機能ブロックを示す図である。
図３は、本実施形態に係る携帯端末１の制御部１０の機能ブロックを示す図及び記憶部２０のソフトウェア構造を説明するための図である。
図２に示すように、携帯端末１は、制御部１０と、記憶部２０と、タッチパネルディスプレイ２４と、ＮＦＣ（Ｎｅａｒ  Ｆｉｅｌｄ  Ｃｏｍｍｕｎｉｃａｔｉｏｎ）チップ２６と、ＮＦＣ用アンテナ２６ａと、通信Ｉ／Ｆ（インタフェース）部２８とを備える。
制御部１０は、携帯端末１の全体を制御する中央処理装置（ＣＰＵ）である。制御部１０は、記憶部２０に記憶されているオペレーティングシステム（ＯＳ２２ａ、図３参照）や、各種のアプリケーションプログラム（例えば、サービス連携アプリ２２ｂ、図３参照）を適宜読み出して実行することにより、上述したハードウェアと協働し、各種機能を実行する。なお、以下、アプリケーションを、アプリともいう。
【００１４】
図３（Ａ）に示すように、制御部１０は、ポイントｗｇｔ実行部１１（ポイント付与アプリ実行手段）と、クリッピングｗｇｔ実行部１２（情報収集アプリ実行手段）と、クーポンｗｇｔ実行部１３（特典付与アプリ実行手段）と、決済ｗｇｔ実行部１４（決済アプリ実行手段）とを備える。
ポイントｗｇｔ実行部１１は、ポイントｗｇｔ２３ａを実行させる制御部である。
クリッピングｗｇｔ実行部１２は、クリッピングｗｇｔ２３ｂを実行させる制御部である。
クリッピングｗｇｔ実行部１２は、クリップ情報取得部１２ａ（商品情報取得手段）と、評価画面出力部１２ｂ（評価画面出力手段）と、記憶制御部１２ｃ（記憶制御手段）とを備える。
クリップ情報取得部１２ａは、商品タグ３から商品情報を取得する。
評価画面出力部１２ｂは、取得した商品情報に関する評価を入力するための評価画面７０を、タッチパネルディスプレイ２４に出力させる。
記憶制御部１２ｃは、評価情報を、商品情報の一部として記憶させる。
クーポンｗｇｔ実行部１３は、クーポンｗｇｔ２３ｃを実行させる制御部である。
決済ｗｇｔ実行部１４は、決済ｗｇｔ２３ｄを実行させる制御部である。
これらの各機能の詳細については、後述する。
【００１５】
図２に戻り、記憶部２０は、携帯端末１の動作に必要なプログラム、データ等を記憶するための半導体メモリ素子等の記憶装置である。
図３（Ｂ）に示すように、携帯端末１は、ハードウェアを直接制御するソフトウェアとしてのＯＳ２２ａを記憶部２０に搭載している。そして、記憶部２０は、サービス連携アプリ２２ｂを記憶しており、土台であるＯＳ２２ａの上位で実行される。つまり、サービス連携アプリ２２ｂは、ＯＳ２２ａが制御し、ＯＳ２２ａの支配下で実行される。なお、記憶部２０は、ＯＳ２２ａの上位で実行されるプログラムとして、サービス連携アプリ２２ｂ以外のその他複数のアプリを記憶していてもよい（例えば、「××アプリ」、「△△アプリ」）。ＯＳ２２ａは、サービス連携アプリ２２ｂと、その他のアプリとに共通して利用される基本的な機能を提供するマルチアプリケーションＯＳである。
【００１６】
サービス連携アプリ２２ｂは、このサービス連携アプリ２２ｂの上位で実行される複数のｗｇｔ２３に共通して利用される基本的な機能を提供する。つまり、複数のｗｇｔ２３の各々は、サービス連携アプリ２２ｂが制御し、サービス連携アプリ２２ｂの支配下で実行される。一例として、サービス連携アプリ２２ｂは、複数のｗｇｔ２３を連携させるために使用する。
記憶部２０は、サービス連携アプリ２２ｂの上位で実行される複数のｗｇｔ２３を備える。
【００１７】
ポイントｗｇｔ２３ａは、ポイント付与アプリケーションである。
クリッピングｗｇｔ２３ｂは、クリッピングアプリケーション（商品情報収集アプリケーション）である。
クーポンｗｇｔ２３ｃは、クーポン付与アプリケーション（特典付与アプリケーション）である。
また、決済ｗｇｔ２３ｄは、決済アプリケーションである。
なお、記憶部２０は、複数のｗｇｔ２３として、その他のサービスを提供するためのｗｇｔ２３を、サービス連携アプリ２２ｂの上位に有していてもよい。
【００１８】
図２に戻り、タッチパネルディスプレイ２４は、液晶パネル等で構成される表示部としての機能と、ユーザからの指等によるタッチ入力を検出する入力部としての機能とを有する。
ＮＦＣチップ２６は、ＮＦＣの規格により作成されたＩＣ（Ｉｎｔｅｇｒａｔｅｄ  Ｃｉｒｃｕｉｔ）チップである。ＮＦＣの規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。ＮＦＣチップ２６は、ＮＦＣ用アンテナ２６ａにより、商品タグ３や、ポイント付与端末４、ＰＯＳ端末５との間でＮＦＣ規格に準じて近距離無線通信を行う。
また、ＮＦＣチップ２６は、セキュアな記憶領域を有する。セキュアな記憶領域には、例えば、クレジット情報等を記憶することができる。よって、携帯端末１を決済処理で使用できる。
ＮＦＣ用アンテナ２６ａは、ループアンテナである。
通信Ｉ／Ｆ部２８は、通信ネットワークＮを介した通信を行うためのインタフェース部である。通信Ｉ／Ｆ部２８は、例えば、制御部１０によりクーポンを取得可能な状態になった時に、サーバ６にアクセスする際に用いられる。
【００１９】
商品タグ３は、現実店舗にある商品の陳列棚や、商品自体の値札等（図１参照）に付されたタグであり、例えば、ＮＦＣタグである。
商品タグ３は、ＮＦＣチップ３６と、ＮＦＣ用アンテナ３６ａとを備える。
ＮＦＣチップ３６は、ＮＦＣの規格により作成されたＩＣチップである。ＮＦＣチップ３６は、ＮＦＣ用アンテナ３６ａにより、携帯端末１との間でＮＦＣ規格に準じて近距離無線通信を行う。
ＮＦＣチップ３６は、その記憶部（図示せず）に、商品情報を記憶する。商品情報は、商品名、商品コード、カテゴリ等の商品を特定するための情報の他、ポイント情報、値引き額等、その商品の購買時の特典に関する情報を有する。
ＮＦＣ用アンテナ３６ａは、ループアンテナである。
【００２０】
ポイント付与端末４は、携帯端末１のユーザを特定するユーザＩＤ（ＩＤｅｎｔｉｆｉｅｒ）を携帯端末１から受け取り、その後サーバ６に接続して、ユーザＩＤと、付与するポイント数とを送信するための端末である。
ポイント付与端末４は、例えば、現実店舗の入口等に設置されており、来店したユーザが利用可能な端末である。
ポイント付与端末４は、制御部４０と、記憶部４２と、タッチパネルディスプレイ４４と、Ｒ／Ｗ（リーダライタ）部４５（アンテナ）と、通信Ｉ／Ｆ部４８とを備える。
制御部４０は、ポイント付与端末４の全体を制御するＣＰＵである。制御部４０は、記憶部４２に記憶されているＯＳや、各種のアプリケーションプログラムを適宜読み出して実行することにより、上述したハードウェアと協働し、各種機能を実行する。
記憶部４２は、ポイント付与端末４の動作に必要なプログラム、データ等を記憶するためのハードディスク、半導体メモリ素子等の記憶装置である。
【００２１】
タッチパネルディスプレイ４４は、液晶パネル等で構成される表示部としての機能と、ユーザからの指等によるタッチ入力を検出する入力部としての機能とを有する。
Ｒ／Ｗ部４５は、携帯端末１との間で近距離無線通信を行う。Ｒ／Ｗ部４５は、ＮＦＣチップ４６と、ＮＦＣ用アンテナ４６ａとを備え、これらにより近距離無線通信を行うことができる。
通信Ｉ／Ｆ部４８は、通信ネットワークＮを介した通信を行うためのインタフェース部である。通信Ｉ／Ｆ部４８は、サーバ６等との通信に用いられる。
【００２２】
ＰＯＳ端末５は、現実店舗の従業員が使用する決済端末である。ＰＯＳ端末５は、ユーザが商品を購買する時に、携帯端末１からユーザＩＤや、クーポンを特定するクーポンＩＤ等を受け取り、サーバ６に接続することで、ユーザＩＤに関連付けられたポイント数や、クーポンＩＤに関連付けられたクーポン情報を取得することができる。また、ＰＯＳ端末５は、商品購買時に携帯端末１から決済情報を受け取って、決済処理を行う。
ＰＯＳ端末５は、制御部５０と、記憶部５２と、表示部５４ａと、操作部５４ｂと、Ｒ／Ｗ（リーダライタ）部５５（アンテナ）と、通信Ｉ／Ｆ部５８とを備える。
制御部５０は、ＰＯＳ端末５の全体を制御するＣＰＵである。制御部５０は、記憶部５２に記憶されているＯＳや、各種のアプリケーションプログラムを適宜読み出して実行することにより、上述したハードウェアと協働し、各種機能を実行する。
記憶部５２は、ＰＯＳ端末５の動作に必要なプログラム、データ等を記憶するためのハードディスク、半導体メモリ素子等の記憶装置である。
【００２３】
表示部５４ａは、液晶パネル等で構成される。
操作部５４ｂは、従業員が購入金額を入力したり、現金収納部（図示せず）を開操作したりするための入力装置である。
Ｒ／Ｗ部５５は、携帯端末１との間で近距離無線通信を行う。Ｒ／Ｗ部５５は、ＮＦＣチップ５６と、ＮＦＣ用アンテナ５６ａとを備える。Ｒ／Ｗ部５５の構成は、ポイント付与端末４のＲ／Ｗ部４５と同様である。
通信Ｉ／Ｆ部５８は、通信ネットワークＮを介した通信を行うためのインタフェース部である。通信Ｉ／Ｆ部５８は、サーバ６等との通信に用いられる。
【００２４】
サーバ６は、ポイントやクーポンを管理する。また、サーバ６は、商品情報と、その評価とを対応付けて記憶する。
サーバ６は、制御部６０と、記憶部６２とを備える。
制御部６０は、サーバ６の全体を制御するＣＰＵである。制御部６０は、記憶部６２に記憶されているＯＳや、各種のアプリケーションプログラムを適宜読み出して実行することにより、上述したハードウェアと協働し、各種機能を実行する。
制御部６０は、ポイント管理部６０ａと、クーポン管理部６０ｂと、クリップ情報記憶制御部６０ｃとを備える。
ポイント管理部６０ａは、ポイントＤＢ（データベース）６２ａに対してアクセスし、そのユーザのポイントを管理する。
クーポン管理部６０ｂは、クーポンＤＢ６２ｂに対してアクセスし、クーポンを管理する。
クリップ情報記憶制御部６０ｃは、クリップ情報ＤＢ６２ｃに対してアクセスし、後述するクリップ情報を書き込む。
【００２５】
記憶部６２は、制御部６０を実行するために必要なプログラム、データ等を記憶するためのハードディスク、半導体メモリ素子等の記憶装置である。
記憶部６２は、ポイントＤＢ６２ａと、クーポンＤＢ６２ｂと、クリップ情報ＤＢ６２ｃとを備える。
ポイントＤＢ６２ａは、ユーザＩＤと、保有ポイント数とが関連付けられている。
クーポンＤＢ６２ｂは、クーポンＩＤと、その特典内容とが関連付けられている。
クリップ情報ＤＢ６２ｃは、携帯端末１がクリッピングした商品情報と、携帯端末１に入力されたその商品の評価情報とを記憶する。
【００２６】
次に、サービス提供システム１００の処理について説明する。
まず、ポイント付与サービスに関する処理（図１の（＃１）参照）について説明する。
図４は、本実施形態に係るサービス提供システム１００のポイント付与処理のフローチャートである。
図４の処理の前提として、携帯端末１の記憶部２０には、サービス連携アプリ２２ｂ及び複数のｗｇｔ２３（２３ａ，２３ｂ，２３ｃ，２３ｄ）を記憶しているものとする。なお、携帯端末１は、記憶部２０にサービス連携アプリ２２ｂが記憶されていない場合には、通信ネットワークＮを介してアプリ配信サーバ（図示せず）に接続し、サービス連携アプリ２２ｂ及び複数のｗｇｔ２３をダウンロードして記憶すればよい。
【００２７】
ユーザが現実店舗内に入り、店内入口に設置されたポイント付与端末４のＲ／Ｗ部４５に、携帯端末１のＮＦＣ用アンテナ２６ａを近接させる。そうすると、ステップＳ（以下、単に「Ｓ」という。）１０及びＳ１０ａにおいて、携帯端末１の制御部１０と、ポイント付与端末４の制御部４０とは、近距離無線通信を確立させる。ポイント付与端末４と携帯端末１との間での近距離無線通信は、ＮＦＣのピアツーピア（Ｐ２Ｐ）の機能を利用する。
ポイント付与端末４（外部装置）の制御部４０は、携帯端末１との通信が確立したことに応じて、サービス連携アプリ２２ｂの起動命令を送出する（Ｓ１０ｂ）。そこで、Ｓ１１において、携帯端末１の制御部１０（プログラム起動手段）は、サービス連携アプリ２２ｂの起動命令を受信して、サービス連携アプリ２２ｂを起動させる。起動命令は、サービス連携アプリ２２ｂのプログラムＩＤや、最初にどの画面を表示させるか、という内容のコマンドを含む。このようにすることで、携帯端末１は、サービス連携アプリ２２ｂを起動した状態にできる。
なお、既にサービス連携アプリ２２ｂが起動されている場合には、携帯端末１の制御部１０は、ポイント付与端末４の制御部４０が送信したサービス連携アプリ２２ｂを起動させる命令を受信しても何も行わず、Ｓ１２に処理を移す。
【００２８】
Ｓ１２において、携帯端末１の制御部１０（ポイントｗｇｔ実行部１１）は、ポイントｗｇｔ２３ａを実行する。
他方、ポイント付与端末４の制御部４０は、起動命令を送出後にユーザＩＤ送信要求を送出している（Ｓ１２ａ）。
そこで、Ｓ１３において、携帯端末１の制御部１０（ポイントｗｇｔ実行部１１）は、ポイント付与端末４からユーザＩＤ送信要求を受信し、記憶部２０に記憶されているユーザＩＤを送出する。なお、ユーザＩＤは、例えば、サービス連携アプリ２２ｂを初めて実行した際に登録することで、記憶部２０に記憶されている。
【００２９】
ポイント付与端末４の制御部４０は、携帯端末１から送出されたユーザＩＤを受信する（Ｓ１３ａ）。そして、ポイント付与端末４の制御部４０は、ポイント処理を行う（Ｓ１３ｂ）。具体的には、制御部４０は、サーバ６に対してユーザＩＤ及び付与するポイント数を送信する。サーバ６の制御部６０（ポイント管理部６０ａ）では、ユーザＩＤと、来店ポイントとして付与したポイント数とを、受信日時に対応付けてポイントＤＢ６２ａに記憶させる。その後、サーバ６の制御部６０（ポイント管理部６０ａ）は、ポイント付与端末４に対してポイント付与処理が正常終了した旨を送信する。
それを受けて、ポイント付与端末４の制御部４０は、処理完了通知を送出する（Ｓ１３ｃ）。処理完了通知は、「○月×日△ポイント付与」といったものであり、付与されたポイント数を含むものである。
Ｓ１４において、携帯端末１の制御部１０（ポイントｗｇｔ実行部１１）は、ポイント付与端末４から処理完了通知を受信したことに応じて、タッチパネルディスプレイ２４に、付与されたポイント数を表示させる。
Ｓ１５において、携帯端末１の制御部１０は、ユーザによるタッチパネルディスプレイ２４からの確認完了の操作を受け付けたことに応じて、ポイントｗｇｔ２３ａの実行を終了する。その後、制御部１０は、本処理を終了する。
【００３０】
このポイント付与処理によって、携帯端末１のユーザには、来店ポイントが付与される。この来店ポイントは、同日に商品を購買した場合の決済処理において、例えば、１ポイントを１円として使用可能である。なお、来店ポイントを、同日に限定せずに使用できるものとしてもよい。
【００３１】
次に、クリッピングサービス及びクーポン付与サービスに関する処理（図１の（＃２）及び（＃３）参照）について説明する。
図５は、本実施形態に係るサービス提供システム１００のクリッピング処理のフローチャートである。
図６は、本実施形態に係る携帯端末１のタッチパネルディスプレイ２４での表示例を示す図である。
図７は、本実施形態に係る携帯端末１の記憶部２０に記憶されたクリップ情報２１の例を示す図である。
図８は、本実施形態に係るサービス提供システム１００のクーポン処理のフローチャートである。
【００３２】
ユーザがポイント付与端末４にて、携帯端末１に来店ポイントを付与する処理を行った後、ユーザが気になった商品に付された商品タグ３に、携帯端末１のＮＦＣ用アンテナ２６ａを近接させる。そうすると、図５のＳ２０及びＳ２０ａにおいて、携帯端末１の制御部１０と、商品タグ３のＮＦＣチップ３６に含む制御部（図示せず）とは、近距離無線通信を確立させる。商品タグ３と携帯端末１との間での近距離無線通信は、ＮＦＣのピアツーピア（Ｐ２Ｐ）の機能を利用する。
なお、ユーザがポイント付与端末４にてポイントを付与する操作を行っていない場合には、サービス連携アプリ２２ｂが起動していない。そのような場合には、タッチパネルディスプレイ２４に表示されているサービス連携アプリ２２ｂを起動させるアイコンをユーザが操作することで、携帯端末１の制御部１０が、サービス連携アプリ２２ｂを起動してもよい。
【００３３】
商品タグ３のＮＦＣチップ３６に含む制御部は、携帯端末１との通信が確立したことに応じて、クリッピングｗｇｔ２３ｂの実行命令を送出する（Ｓ２０ｂ）。そこで、Ｓ２１において、携帯端末１の制御部１０（クリッピングｗｇｔ実行部１２）は、クリッピングｗｇｔ２３ｂの実行命令を受信して、クリッピングｗｇｔ２３ｂを実行する。
Ｓ２２において、携帯端末１の制御部１０（クリッピングｗｇｔ実行部１２）は、商品情報の送信要求を送出する。
そうすると、商品タグ３のＮＦＣチップ３６に含む制御部は、商品情報の送信要求を受信して、ＮＦＣチップ３６の記憶部に記憶されている商品情報を送出する（Ｓ２２ａ）。
それを受けて、Ｓ２３において、携帯端末１の制御部１０（クリップ情報取得部１２ａ，記憶制御部１２ｃ）は、商品情報を受信して、記憶部２０のクリップ情報２１に記憶させる。このような、商品情報を受信（取得）して記憶部２０に記憶（収集）させることを、クリッピングという。
Ｓ２４において、携帯端末１の制御部１０（評価画面出力部１２ｂ）は、評価画面７０をタッチパネルディスプレイ２４に出力する。
【００３４】
ここで、評価画面７０について、図６に基づき説明する。
評価画面７０は、クリッピングした商品に関する評価をユーザに入力させるための画面である。
評価画面７０は、商品情報部７１と、入力部７２と、ボタン７３とを備える。
商品情報部７１は、クリッピングした商品がユーザにわかるように、例えば、商品名を出力する。
入力部７２は、ユーザのこの商品に関する購買意欲を、ユーザがスライドバーを左右方向に操作することで入力可能になっている。また、入力部７２は、ユーザがこの商品をクリッピングした理由を、ユーザの選択操作によって入力可能になっている。
ユーザは、入力部７２のスライドバーを、購買意欲の度合いに応じて左右方向に操作し、また、クリッピングした理由を、選択肢から１又は複数選択するという簡単な操作で、その商品に対する評価を入力できる。
【００３５】
図５に戻り、Ｓ２５において、携帯端末１の制御部１０（クリッピングｗｇｔ実行部１２）は、ユーザが評価画面７０に入力後にボタン７３を選択することで、評価入力を受け付けたか否かを判断する。評価入力を受け付けた場合（Ｓ２５：ＹＥＳ）には、制御部１０は、処理をＳ２６に移す。他方、評価入力を受け付けていない場合（Ｓ２５：ＮＯ）には、制御部１０は、処理をＳ２７に移す。
Ｓ２６において、携帯端末１の制御部１０（記憶制御部１２ｃ）は、商品情報に評価情報を対応付けてクリップ情報２１に記憶させる。
【００３６】
ここで、クリップ情報２１について説明する。
図７は、記憶部２０に記憶されているクリップ情報２１を示す。
クリップ情報２１は、日付情報２１ａと、商品情報２１ｂと、評価情報２１ｃとを含む。日付情報２１ａは、クリッピングした日付を記憶する。商品情報２１ｂは、商品タグ３から取得した情報を記憶する。評価情報２１ｃは、ユーザによって入力された評価情報を、数値化及びフラグ化して記憶する。
この図７の例では、図６（Ａ）の画面により評価を入力したもの（最上段）以外に、他の２つの商品についてもクリッピング及び評価入力を行ったものである。
【００３７】
図５に戻り、Ｓ２７において、携帯端末１の制御部１０（クリッピングｗｇｔ実行部１２）は、記憶部２０に記憶された商品情報が所定数（例えば、５個）であるか否かを判断する。所定数記憶されている場合（Ｓ２７：ＹＥＳ）には、制御部１０は、処理をＳ２８に移す。他方、所定数記憶されていない場合（Ｓ２７：ＮＯ）には、制御部１０は、処理をＳ２９に移す。
Ｓ２８において、携帯端末１の制御部１０は、クーポン処理を行う。
【００３８】
ここで、クーポン処理について、図８に基づき説明する。
Ｓ３０において、携帯端末１の制御部１０（クーポンｗｇｔ実行部１３）は、クーポンｗｇｔ２３ｃを実行する。クーポンｗｇｔ２３ｃの実行は、クリッピングｗｇｔ２３ｂがサービス連携アプリ２２ｂに対してクーポンｗｇｔ２３ｃの実行命令を送出することで、サービス連携アプリ２２ｂが行う。
Ｓ３１において、携帯端末１の制御部１０（クーポンｗｇｔ実行部１３）は、サーバ６に対して通信ネットワークＮを介した通信を行い、クーポンＩＤ送信要求を送信する。
サーバ６では、制御部６０がクーポンＩＤ送信要求を受信して（Ｓ３１ａ）、クーポンＩＤを送信する（Ｓ３１ｂ）。
Ｓ３２において、携帯端末１の制御部１０（クーポンｗｇｔ実行部１３）は、サーバ６クーポンＩＤを受信して、記憶部２０に記憶させる。
Ｓ３３において、携帯端末１の制御部１０（クーポンｗｇｔ実行部１３）は、取得したクーポンＩＤの内容を表示するためのクーポン画面８０を、タッチパネルディスプレイ２４に表示させる。
【００３９】
図６（Ｂ）は、タッチパネルディスプレイ２４に表示されたクーポン画面８０の一例である。
クーポンを商品購買時に使用する場合には、ユーザが事前にクーポン画面８０を開いてクーポンを使用する旨のボタン８１を選択する。
図８に戻り、Ｓ３４において、携帯端末１の制御部１０（クーポンｗｇｔ実行部１３）は、クーポンの使用を受け付けたか否かを判断する。クーポンの使用を受け付けた場合（Ｓ３４：ＹＥＳ）には、制御部１０は、処理をＳ３５に移す。他方、クーポンの使用を受け付けていない場合（Ｓ３４：ＮＯ）には、制御部１０は、処理をＳ３６に移す。
Ｓ３５において、携帯端末１の制御部１０（クーポンｗｇｔ実行部１３）は、使用する旨の情報を該当のクーポンＩＤに対応付けて記憶部２０に記憶する。
Ｓ３６において、携帯端末１の制御部１０は、ユーザによる確認完了の操作を受け付けたことに応じて、クーポンｗｇｔ２３ｃの実行を終了する。その後、制御部１０は、処理を図５に移す。
【００４０】
図５のＳ２９において、携帯端末１の制御部１０は、ユーザによる確認完了の操作を受け付けたことに応じて、クリッピングｗｇｔ２３ｂの実行を終了する。
その後、制御部１０は、本処理を終了する。
なお、クーポンを使用したい場合には、ユーザは、決済時までに使用のための操作を行えばよい。クーポン使用のための操作は、ユーザがタッチパネルディスプレイ２４に表示されたアイコンを選択することで、クーポンｗｇｔ２３ｃを起動させ、図６（Ｂ）に示すクーポン画面８０を表示させる。そして、ユーザは、使用する旨のボタン８１を選択すればよい。
【００４１】
次に、ＰＯＳ端末５を使用した決済システムでの処理（図１の（＃４）参照）について説明する。
図９は、本実施形態に係る決済システムでの商品購買処理のフローチャートである。
図１０は、本実施形態に係る決済システムでのポイント照会処理のフローチャートである。
図１１は、本実施形態に係る決済システムでのクリップ情報保存処理のフローチャートである。
図１２は、本実施形態に係る決済システムでの使用クーポン処理のフローチャートである。
図１３は、本実施形態に係る決済システムでの決済実行処理のフローチャートである。
【００４２】
商品購買処理は、ユーザが購買しようとしている商品をユーザがＰＯＳ端末５に持参した場合に、ユーザの携帯端末１とＰＯＳ端末５の間で行う処理である。
図９のＳ４０において、ＰＯＳ端末５の制御部５０は、ユーザが購買する商品そのものや、その商品の商品カード等に印刷されたバーコード等から、購買する商品の商品コードを読み取る。そして、制御部５０は、ＰＯＳ端末５に通信可能に接続され、販売価格を管理しているサーバ（図示せず）に読み取った商品コードを送信することで、購買商品の販売価格を取得する。
次に、ＰＯＳ端末５を操作する店員等の指示により、ユーザは、ＰＯＳ端末５のＲ／Ｗ部５５にユーザが所持する携帯端末１を載置する。そうすることで、ＰＯＳ端末５のＲ／Ｗ部５５と、ユーザが所持する携帯端末１のＮＦＣ用アンテナ２６ａとが近接する。そうすると、Ｓ４１及びＳ４１ａにおいて、ＰＯＳ端末５の制御部５０と、携帯端末１の制御部１０とは、近距離無線通信を確立させる。ＰＯＳ端末５と携帯端末１との間での近距離無線通信は、ＮＦＣのピアツーピア（Ｐ２Ｐ）の機能を利用する。
【００４３】
Ｓ４２において、ＰＯＳ端末５の制御部５０と、携帯端末１の制御部１０とは、ポイント照会処理（後述する）を行う。
Ｓ４３において、ＰＯＳ端末５の制御部５０と、携帯端末１の制御部１０とは、クリップ情報保存処理（後述する）を行う。
Ｓ４４において、ＰＯＳ端末５の制御部５０と、携帯端末１の制御部１０とは、使用クーポン処理（後述する）を行う。
Ｓ４５において、ＰＯＳ端末５の制御部５０は、ポイント数や使用するクーポンを加味して、決済金額を算出する。
Ｓ４６において、ＰＯＳ端末５の制御部５０と、携帯端末１の制御部１０とは、決済実行処理（後述する）を行う。
その後、ＰＯＳ端末５の制御部５０と、携帯端末１の制御部１０とは、本処理を終了する。
【００４４】
次に、ポイント照会処理について説明する。
図１０のＳ６０において、ＰＯＳ端末５の制御部５０は、ポイントｗｇｔ２３ａの実行命令を送出する。
Ｓ６１において、携帯端末１の制御部１０（ポイントｗｇｔ実行部１１）は、実行命令を受信して、ポイントｗｇｔ２３ａを実行する。
Ｓ６２において、ＰＯＳ端末５の制御部５０は、ユーザＩＤ送信要求を送出する。
そこで、Ｓ６３において、携帯端末１の制御部１０（ポイントｗｇｔ実行部１１）は、ユーザＩＤ送信要求を受信し、記憶部２０に記憶されている携帯端末１のユーザＩＤを送出する。その後、制御部１０（ポイントｗｇｔ実行部１１）は、本処理を終了して、処理を図９に移す。
Ｓ６４において、ＰＯＳ端末５の制御部５０は、ユーザＩＤを受信する。
Ｓ６５において、ＰＯＳ端末５の制御部５０は、ポイント処理を行う。ポイント処理として、制御部５０は、受信したユーザＩＤをサーバ６に送信する。サーバ６の制御部６０（ポイント管理部６０ａ）は、ユーザＩＤを受信し、ポイントＤＢ６２ａに対してアクセスして、使用可能なポイント数を取得し、ＰＯＳ端末５に送信する。その後、制御部５０は、本処理を終了して、処理を図９に移す。
【００４５】
次に、クリップ情報保存処理について説明する。
図１１のＳ７０において、ＰＯＳ端末５の制御部５０は、クリッピングｗｇｔ２３ｂの実行命令を送出する。
Ｓ７１において、携帯端末１の制御部１０（クリッピングｗｇｔ実行部１２）は、クリッピングｗｇｔ２３ｂの実行命令を受信して、クリッピングｗｇｔ２３ｂを実行する。
Ｓ７２において、ＰＯＳ端末５の制御部５０は、クリップ情報の送信要求を送出する。
Ｓ７３において、携帯端末１の制御部１０（クリッピングｗｇｔ実行部１２）は、クリップ情報の送信要求を受信し、記憶部２０に記憶されているクリップ情報２１を送出する。その後、制御部１０（クリッピングｗｇｔ実行部１２）は、処理を図９に移す。
Ｓ７４において、ＰＯＳ端末５の制御部５０では、クリップ情報２１を受信する。
Ｓ７５において、ＰＯＳ端末５の制御部５０は、クリップ情報サーバ処理を行う。
具体的には、ＰＯＳ端末５の制御部５０では、受信したクリップ情報２１をサーバ６に送信する。サーバ６の制御部６０（クリップ情報記憶制御部６０ｃ）は、クリップ情報２１を受信し、クリップ情報ＤＢ６２ｃに対してアクセスし、クリップ情報２１を書き込む。
【００４６】
Ｓ７６において、ＰＯＳ端末５の制御部５０は、クリップ情報２１と購買とに同じ商品があるか否かを判断する。例えば、制御部５０は、受信したクリップ情報２１にある商品コード（Ｓ７４）と、購買商品の商品コード（図９のＳ４０参照）とが一致するものがあるか否かを判断する。同じ商品がある場合（Ｓ７６：ＹＥＳ）には、制御部５０は、処理をＳ７７に移す。他方、同じ商品がない場合（Ｓ７６：ＮＯ）には、制御部５０は、処理を図９に移す。
Ｓ７７において、ＰＯＳ端末５の制御部５０は、ポイント計算処理を行う。例えば、同じ商品の商品コードに対応したクリップ情報２１に、ポイント還元率がある場合には、ポイント還元率に基づいてポイント数を算出する。そして、制御部５０は、算出したポイント数に、ポイント取得処理で取得したポイント数を加算する。その後、制御部５０は、本処理を終了して、処理を図９に移す。
【００４７】
次に、使用クーポン処理について説明する。
図１２のＳ８０において、ＰＯＳ端末５の制御部５０は、クーポンｗｇｔ２３ｃの実行命令を送出する。
Ｓ８１において、携帯端末１の制御部１０（クーポンｗｇｔ実行部１３）は、クーポンｗｇｔ２３ｃの実行命令を受信して、クーポンｗｇｔ２３ｃを実行する。
Ｓ８２において、ＰＯＳ端末５の制御部５０は、クーポンＩＤの送信要求を送出する。
Ｓ８３において、携帯端末１の制御部１０（クーポンｗｇｔ実行部１３）は、クーポンＩＤの送信要求を受信する。
Ｓ８４において、携帯端末１の制御部１０（クーポンｗｇｔ実行部１３）は、記憶部２０に記憶され、ユーザが使用を決定しているクーポンＩＤがあるか否かを判断する。使用するクーポンＩＤがある場合（Ｓ８４：ＹＥＳ）には、制御部１０は、処理をＳ８５に移す。他方、使用するクーポンＩＤがない場合（Ｓ８４：ＮＯ）には、制御部１０は、処理をＳ８５ａに移す。
Ｓ８５において、携帯端末１の制御部１０（クーポンｗｇｔ実行部１３）は、使用するクーポンＩＤを送出する。その後、制御部１０は、本処理を終了し、処理を図９に移す。
他方、Ｓ８５ａにおいて、携帯端末１の制御部１０（クーポンｗｇｔ実行部１３）は、使用するクーポンがない旨の情報を送出する。その後、制御部１０は、本処理を終了し、処理を図９に移す。
【００４８】
Ｓ８５にて処理がされた場合には、Ｓ８６において、ＰＯＳ端末５の制御部５０は、クーポンＩＤを受信する。
また、Ｓ８５ａにて処理がされた場合には、Ｓ８６ａにおいて、ＰＯＳ端末５の制御部５０は、使用するクーポンがない旨の情報を受信する。
Ｓ８７において、ＰＯＳ端末５の制御部５０は、クーポンＩＤを受信したか否かを判断する。クーポンＩＤを受信した場合（Ｓ８７：ＹＥＳ）には、制御部５０は、処理をＳ８８に移す。他方、クーポンＩＤを受信していない場合（Ｓ８７：ＮＯ）には、制御部５０は、本処理を終了し、処理を図９に移す。
Ｓ８８において、ＰＯＳ端末５の制御部５０は、クーポン情報取得処理を行う。例えば、制御部５０は、サーバ６に対してクーポンＩＤを送信することで、サーバ６からクーポンＩＤの内容情報を受信する。具体的には、サーバ６では、制御部６０（クーポン管理部６０ｂ）がクーポンＤＢ６２ｂから該当のクーポンＩＤに対応する内容情報を抽出する。そして、サーバ６の制御部６０（クーポン管理部６０ｂ）がＰＯＳ端末５に内容情報を送信する。内容情報は、例えば、「５００円割引」等の特典に関する具体的な情報を含む。その後、制御部５０は、本処理を終了し、処理を図９に移す。
【００４９】
次に、決済実行処理について説明する。
図１３のＳ９０において、ＰＯＳ端末５の制御部５０は、決済ｗｇｔ２３ｄの実行命令を送出する。
Ｓ９１において、携帯端末１の制御部１０（決済ｗｇｔ実行部１４）は、決済ｗｇｔ２３ｄの実行命令を受信して、決済ｗｇｔ２３ｄを実行する。
ここで、ユーザは、クレジットカードや、電子マネー等の現金以外で決済を行う場合には、その旨をＰＯＳ端末５を操作する店員等に伝える。そうすることで、Ｓ９２において、ＰＯＳ端末５の制御部５０は、クレジット情報の送信要求を送出する。なお、現金で決済を行う場合には、この処理（Ｓ９２）から後述するＳ９６までの処理を行わない。
【００５０】
Ｓ９３において、携帯端末１の制御部１０（決済ｗｇｔ実行部１４）は、クレジット情報の送信要求を受信する。
Ｓ９４において、携帯端末１の制御部１０（決済ｗｇｔ実行部１４）は、ＮＦＣチップ２６に予め記憶されているクレジット情報を送出する。
Ｓ９５において、ＰＯＳ端末５の制御部５０は、クレジット情報を受信する。
Ｓ９６において、制御部５０は、決済サーバ（図示せず）に対して、決済金額とクレジット情報とを送信することで、決済サーバでは、クレジット情報を使用した決済を行う。
Ｓ９７において、ＰＯＳ端末５の制御部５０は、決済が終了したことに応じて、クリップ情報２１及び使用したクーポンＩＤの削除命令を送出する。その後、制御部５０は、本処理を終了し、処理を図９に移す。
Ｓ９８において、携帯端末１の制御部１０は、クリップ情報２１及び使用したクーポンＩＤの削除命令を受信し、削除処理を行う。
Ｓ９９において、携帯端末１の制御部１０は、サービス連携アプリ２２ｂの実行を終了する。その後、制御部１０は、本処理を終了し、処理を図９に移す。
【００５１】
このように、本実施形態によれば、以下のような効果がある。
（１）携帯端末１のサービス連携アプリ２２ｂは、複数のｗｇｔ２３の実行を制御できる。
携帯端末１は、例えば、クリッピングｗｇｔ２３ｂにより商品情報をクリッピングし、クリッピングした商品情報が所定の条件を満たすことで、クリッピングｗｇｔ２３ｂが主動して、サービス連携アプリ２２ｂを経由してクーポンｗｇｔ２３ｃを実行させ、クーポン等の特典を取得できる。この特典は、商品の決済時に使用することができるものであるので、携帯端末１のユーザに、商品情報をクリッピングさせる契機になりうる。
（２）クリッピングした商品情報に関する評価画面７０を、クリッピングした際に出力し、入力された評価情報は、商品情報に対応付けて記憶できる。よって、携帯端末１のユーザに対して商品情報に関する評価を入力しやすくできる。
また、評価項目を最小限にし、選択式の評価項目にすることで、ユーザに入力を促しやすくできる。
【００５２】
（３）携帯端末１は、商品購買の決済時においても、サービス連携アプリ２２ｂは、複数のｗｇｔ２３の実行を制御できる。
（４）商品購買の決済時に、ＰＯＳ端末５は、携帯端末１で事前に指定されているクーポンの使用可否を受け付け、使用可を受け付けたクーポンを考慮して決済ができる。
また、携帯端末１は、商品購買の決済時に、ポイント情報の使用可否を受け付け、使用可を受け付けたポイント情報を考慮して決済ができる。
【００５３】
（５）ポイント付与端末４によりポイント情報を付与できる。このポイント付与端末４を、携帯端末１のユーザに目に付きやすい店舗の入口等に設置することで、携帯端末１のユーザが、ポイント付与端末４のＲ／Ｗ４５に携帯端末１をかざす操作をさせやすくできる。
そして、携帯端末１のユーザがポイント付与端末４のＲ／Ｗ４５にかざすという簡易な操作を行うだけで、店舗の入口で、携帯端末１を、サービス連携アプリ２２ｂを起動させた状態にできる。よって、クリッピングや決済等を行う際には、サービス連携アプリ２２ｂが実行されている状態にできる。よって、携帯端末１は、サービス連携アプリ２２ｂを常時実行しておく必要はなく、店舗内等のみで実行させればよく、端末の電池の消耗を少なくできる。
【００５４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５５】
（変形形態）
（１）本実施形態では、ＮＦＣチップを有するものとして説明した。しかし、ＮＦＣチップ以外のＩＣチップであってもよい。例えば、携帯端末は、ＵＩＭ（Ｕｓｅｒ  Ｉｄｅｎｔｉｔｙ  Ｍｏｄｕｌｅ）であってもよいし、マイクロＳＤカード等の取り外し可能な記憶媒体であってもよいし、取り外しができないタイプのモジュールであってもよい。
（２）本実施形態では、携帯端末にクリッピングされた商品数が所定数になった場合に、クーポン処理を行い、クーポンＩＤを受信するものとして説明した。しかし、携帯端末にクリッピングされ、評価が入力された商品数が所定数になった場合に、クーポン処理を行うようにしてもよい。そのようにすれば、評価したことに対してインセンティブが与えられるということが分かりやすいものにできる。
（３）本実施形態では、クーポン処理は、携帯端末とサーバとが通信することで行うものとして説明した。しかし、商品タグにクーポンＩＤを無効化して保有しておき、携帯端末にクリッピングされた商品数が所定数になった場合に、そのクーポンＩＤを有効化するようにしてもよい。そのようにすることで、通信可能でない環境下であっても、クーポンを付与できる。
【００５６】
（４）本実施形態では、携帯端末のユーザが店舗に来店した際にポイントを付与し、クリッピングした際にクーポンを付与するものとして説明した。しかし、ポイントやクーポンは一例であり、ユーザにインセンティブを与えられるものであれば、他のものでもよい。
（５）本実施形態では、あるｗｇｔがサービス連携アプリを介して他のｗｇｔの実行を制御するものとして説明した。しかし、サービス連携アプリの支配下に管理ｗｇｔを新たに設け、管理ｗｇｔが各ｗｇｔの実行を制御するものとしてもよい。そうすることで、管理ｗｇｔによって、各ｗｇｔの実行を制御でき、管理ｗｇｔが各ｗｇｔのＯＮ／ＯＦＦを管理できる。
【符号の説明】
【００５７】
１    携帯端末
３    商品タグ
４    ポイント付与端末
５    ＰＯＳ端末
６    サーバ
１０  制御部
１１  ポイントｗｇｔ実行部
１２  クリッピングｗｇｔ実行部
１２ａ  クリップ情報取得部
１２ｂ  評価画面出力部
１２ｃ  記憶制御部
１３  クーポンｗｇｔ実行部
１４  決済ｗｇｔ実行部
２０  記憶部
２１  クリップ情報
２２ｂ  サービス連携アプリ
２３  ｗｇｔ
２３ａ  ポイントｗｇｔ
２３ｂ  クリッピングｗｇｔ
２３ｃ  クーポンｗｇｔ
２３ｄ  決済ｗｇｔ
２４，４４  タッチパネルディスプレイ
２６，３６，４６，５６  ＮＦＣチップ
２６ａ，３６ａ，４６ａ，５６ａ  ＮＦＣ用アンテナ
１００  サービス提供システム
【図１】
2015184872.tif 000003
【図２】
2015184872.tif 000004
【図３】
2015184872.tif 000005
【図４】
2015184872.tif 000006
【図５】
2015184872.tif 000007
【図６】
2015184872.tif 000008
【図７】
2015184872.tif 000009
【図８】
2015184872.tif 000010
【図９】
2015184872.tif 000011
【図１０】
2015184872.tif 000012
【図１１】
2015184872.tif 000013
【図１２】
2015184872.tif 000014
【図１３】
2015184872.tif 000015